(57)【要約】【課題】ノズル洗浄室を設けることなく、局部洗浄ノズルの清浄性を向上させる。【解決手段】開口部から進出させた局部洗浄ノズルから洗浄水を吐出させることで局部洗浄を実行する局部洗浄装置であって、前記局部洗浄ノズルが前記開口部から進出している状態において、前記局部洗浄ノズルの表面に湯水を吐出することで当該表面に水膜を形成する洗浄部を備え、前記洗浄部は、前記表面に吐出する前記湯水の流量を調整可能である。【選択図】図１
2019173350.tif 000002
【特許請求の範囲】
【請求項１】
開口部から進出させた局部洗浄ノズルから洗浄水を吐出させることで局部洗浄を実行する局部洗浄装置であって、
前記局部洗浄ノズルが前記開口部から進出している状態において、前記局部洗浄ノズルの表面に湯水を吐出することで当該表面に水膜を形成する洗浄部を備え、
前記洗浄部は、前記表面に吐出する前記湯水の流量を調整可能であることを特徴とする局部洗浄装置。
【請求項２】
前記洗浄部は、前記局部洗浄ノズルが前記開口部から進出している状態における当該局部洗浄ノズルの動作に応じて前記表面に吐出する前記湯水の流量を調整する請求項１に記載の局部洗浄装置。
【請求項３】
前記洗浄部は、前記局部洗浄ノズルが待機位置から洗浄位置に移動する場合、前記局部洗浄を実行している場合、前記洗浄位置から前記待機位置に移動する場合との少なくともいずれかの場合において、前記表面に吐出する前記湯水の流量を調整する請求項１に記載の局部洗浄装置。
【請求項４】
前記洗浄部は、前記局部洗浄ノズルが前記開口部から進出している位置に応じて前記表面に吐出する前記湯水の流量を調整する請求項２から４のいずれか一項に記載の局部洗浄装置。
【請求項５】
前記洗浄部は、局部洗浄時において、前記局部洗浄ノズルから吐出している洗浄水の流量に応じて、前記表面に吐出される前記湯水の流量を調整する請求項１から４のいずれか一項に記載の局部洗浄装置。
【発明の詳細な説明】
【技術分野】
【０００１】
本発明は、局部洗浄装置に関する。
【背景技術】
【０００２】
下記特許文献１には、局部洗浄ノズルから洗浄水を吐出させて使用者の局部を洗浄する局部洗浄時や局部洗浄ノズルの移動時において、局部洗浄ノズルの表面を清掃する局部洗浄装置が開示されている。
【０００３】
具体的には、上記局部洗浄装置は、局部洗浄ノズルの表面に一定量の水を吐出して当該局部洗浄ノズルの表面に水膜を形成する。これにより、局部洗浄ノズルに付着した汚物を洗い流すとともに、局部洗浄ノズルの表面に汚物が付着することを防止する。
【先行技術文献】
【特許文献】
【０００４】
【特許文献１】特開平１１−１９３５６７号公報
【発明の概要】
【発明が解決しようとする課題】
【０００５】
ただし、局部洗浄ノズルの表面に水を吐出すると、その吐出された水は、局部洗浄ノズルの表面を伝って便器本体の便鉢や封水に着水する。したがって、その着水により飛沫が周囲に飛散して、使用者に不快な印象を与えるおそれがある。
【０００６】
本発明は、このような事情に鑑みてなされたもので、その目的は、局部洗浄ノズルの表面に水膜を形成するにあたって、飛沫の飛散を抑制することである。
【課題を解決するための手段】
【０００７】
本発明の一態様は、開口部から進出させた局部洗浄ノズルから洗浄水を吐出させることで局部を洗浄する局部洗浄装置であって、前記局部洗浄ノズルが前記開口部から進出している状態において、前記局部洗浄ノズルの表面に湯水を吐出することで当該表面に水膜を形成する洗浄部を備え、前記洗浄部は、前記表面に吐出する前記湯水の流量を調整可能であることを特徴とする局部洗浄装置である。
【０００８】
本発明の一態様は、上述の局部洗浄装置であって、前記洗浄部は、前記局部洗浄ノズルが前記開口部から進出している状態における当該局部洗浄ノズルの動作に応じて前記表面に吐出する前記湯水の流量を調整する。
【０００９】
本発明の一態様は、上述の局部洗浄装置であって、前記洗浄部は、前記局部洗浄ノズルが待機位置から洗浄位置に移動する場合、前記局部洗浄を実行している場合、前記洗浄位置から前記待機位置に移動する場合との少なくともいずれかの場合において、前記表面に吐出する前記湯水の流量を調整する。
【００１０】
本発明の一態様は、上述の局部洗浄装置であって、前記洗浄部は、前記局部洗浄ノズルが前記開口部から進出している位置に応じて前記表面に吐出する前記湯水の流量を調整する。
【００１１】
本発明の一態様は、上述の局部洗浄装置であって、前記洗浄部は、局部洗浄時において、前記局部洗浄ノズルから吐出している洗浄水の流量に応じて、前記表面に吐出される前記湯水の流量を調整する。
【発明の効果】
【００１２】
以上説明したように、本発明によれば、局部洗浄ノズルの表面に水膜を形成するにあたって、飛沫の飛散を抑制することができる。
【図面の簡単な説明】
【００１３】
【図１】本発明の一実施形態に係る局部洗浄装置９を備えるトイレシステムＡの概略構成の一例を示す図である。
【図２】本発明の一実施形態に係る局部洗浄装置９の概略構成の一例を示す図である。
【図３】本発明の一実施形態に係る水膜形成の動作を説明する図である。
【図４】本発明の一実施形態に係る水膜形成の動作の第１の変形例を示す図である。
【図５】本発明の一実施形態に係る水膜形成の動作の第２の変形例を示す図である。
【図６】本発明の一実施形態に係る水膜口１７１の位置を示す図である。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさなどはより明確な説明のために誇張されることがある。
【００１５】
図１は、本発明の一実施形態に係る局部洗浄装置を備えるトイレシステムＡの概略構成の一例を示す図である。図１に示すように、トイレシステムＡは、トイレ装置１及びリモコン装置２を備える。
【００１６】
トイレ装置１は、トイレルームに設けられており、リモコン装置２と有線又は無線通信することで情報を送受する。
【００１７】
リモコン装置２は、トイレルームの所定位置に設置されている。例えば、この所定位置とは、トイレルームの壁面である。リモコン装置２には、複数の操作スイッチが設けられており、使用者は、例えば、便器洗浄や局部洗浄に対応した操作スイッチを押下操作することで、トイレ装置１に対して便器洗浄や局部洗浄を実行させることができる。
【００１８】
トイレ装置１は、便器本体３及び便座装置４を備える。
【００１９】
便器本体３は、トイレルーム内の床面に設置されている。便器本体３の上部には、便座装置４が設置されている。
【００２０】
便座装置４は、本体カバー５、便座６、便蓋７、便器洗浄装置８及び局部洗浄装置９を備える。
【００２１】
本体カバー５は、便器本体３の後部かつ上部に載置された便器洗浄装置８及び局部洗浄装置９を収容するように便器洗浄装置８及び局部洗浄装置９を上側から覆うカバーである。
【００２２】
便座６は、本体カバー５に対して上下方向に回動可能に支持されている。すなわち、便座６は、本体カバー５に軸支されており、便器本体３に対して起立状態と倒伏状態との間で回動自在である。
【００２３】
便蓋７は、本体カバー５に対して上下方向に回動可能に支持されている。すなわち、便蓋７は、本体カバー５に軸支されており、便器本体３に対して起立状態と倒伏状態との間で回動自在である。
【００２４】
便器洗浄装置８は、本体カバー５内に収容して設けられ、例えば使用者により便器洗浄に対応する操作スイッチが操作されることで、便器本体３内に洗浄水を吐出させる便器洗浄を実行する。
【００２５】
局部洗浄装置９は、局部洗浄ノズル１０、ノズル開口部１１、及びシャッタユニット１２を備える。なお、ノズル開口部１１は、本発明の「開口部」の一例である。
【００２６】
局部洗浄装置９は、例えば、リモコン装置２において使用者により局部洗浄の実行を指示する操作が行われると、待機位置にある局部洗浄ノズル１０をノズル開口部１１から便器本体３の内側にある洗浄位置まで進出させ、当該局部洗浄ノズル１０の先端部から洗浄水を吐出することで、人体の局部を洗浄する局部洗浄を実行する。そして、局部洗浄装置９は、例えば、リモコン装置２において使用者により局部洗浄の停止を指示する操作が行われると、局部洗浄を停止して、洗浄位置にある局部洗浄ノズル１０を待機位置まで退避させる。
【００２７】
なお、シャッタユニット１２は、局部洗浄ノズル１０が本体カバー５内の待機位置に退避した状態でノズル開口部１１を閉じることで、汚物、洗浄水の飛沫などが局部洗浄ノズル１０にかかったり、本体カバー５の内部に入り込むことを防止する。また、シャッタユニット１２は、局部洗浄ノズル１０の進出とともに回動してノズル開口部１１を開く。
【００２８】
さらに、局部洗浄装置９は、局部洗浄ノズル１０がノズル開口部１１から進出している状態において、当該局部洗浄ノズル１０の表面に湯水で水膜を形成する。ここで、湯水とは、冷水であってもよいし、温水であってもよい。以下に、本実施形態に係る局部洗浄装置９の構成について、図２を用いて具体的に説明する。
【００２９】
図２に示すように、局部洗浄装置９は、第１の流路１３、第２の流路１４、給水バルブ１５、温水生成部１６、及び洗浄部１７を備える。
【００３０】
第１の流路１３は、給水源Ｓからの水を、給水バルブ１５を介して温水生成部１６に流入させる流路である。
第２の流路１４は、温水生成部１６からの温水を洗浄部１７に送水するための流路である。
【００３１】
給水バルブ１５は、第１の流路１３に設けられ、その第１の流路１３を開放又は閉塞することで、給水源Ｓから温水生成部１６への給水を制御する。具体的には、給水バルブ１５は、洗浄部１７の制御により開状態に制御された場合には、第１の流路１３を開放する。これにより、給水源Ｓからの水が第１の流路１３を介して温水生成部１６に流入する。一方、給水バルブ１５は、洗浄部１７の制御により閉状態に制御された場合には、第１の流路１３を閉塞する。これにより、温水生成部１６への水の流入が停止される。
【００３２】
温水生成部１６は、第１の流路１３を介して流入してきた水を所定の温度に加熱して温水を生成する。そして、温水生成部１６は、所定の温度に加熱した温水を第２の流路１４を介して洗浄部１７に送水する。以下に、温水生成部１６の構成について、具体的に説明する。
【００３３】
温水生成部１６は、ヒータ１６１、温度センサ１６２、及び温度制御部１６３を備える。
【００３４】
ヒータ１６１は、第１の流路１３を介して流入してきた水を、温度制御部１６３の制御に基づいて所定の温度に加熱する。そして、ヒータ１６１により加熱されて生成された温水は、第２の流路１４を介して洗浄部１７に供給される。
【００３５】
温度センサ１６２は、第２の流路１４に設けられ、ヒータ１６１により加熱された温水の温度を測定するセンサであって、例えば、サーミスタである。温度センサ１６２は、測定した温度を温度制御部１６３に出力する。
【００３６】
温度制御部１６３は、温度センサ１６２で測定された温度が上記所定の温度になるようにヒータ１６１の出力を制御する。なお、温度制御部１６３は、第２の流路１４に供給する温水の温度を任意の温度に制御可能である。
【００３７】
洗浄部１７は、局部洗浄ノズル１０、水膜口１７１、分岐流路１７２〜１７４、流調バルブ１７５、流調バルブ１７６、駆動部１７７、及び制御装置１７８を備える。
【００３８】
局部洗浄ノズル１０は、おしり洗浄用ノズル１１１及びビデ用ノズル１１２の一対の局部洗浄ノズルの少なくともいずれかである。なお、以下の説明において、おしり洗浄用ノズル１１１及びビデ用ノズル１１２のそれぞれを区別しない場合には、単に「局部洗浄ノズル１０」と標記する。
【００３９】
水膜口１７１は、局部洗浄ノズル１０の表面に冷水又は温水の水膜を形成するための開口部である。本実施形態では、洗浄部１７は、水膜口１７１から局部洗浄ノズル１０の表面に向けて温水を吐出させることで、ノズル開口部１１から進出している局部洗浄ノズル１０の表面に温水の水膜（以下、「温水膜」という。）を形成する。
【００４０】
分岐流路１７２〜１７４は、第２の流路１４から分岐する流路である。
【００４１】
分岐流路１７２は、第２の流路１４から分岐し、おしり洗浄用ノズル１１１の先端部に連通する。
分岐流路１７３は、第２の流路１４から分岐し、ビデ用ノズル１１２の先端部に連通する。
分岐流路１７４は、第２の流路１４から分岐し、水膜口１７１に連通する。
【００４２】
流調バルブ１７５は、分岐流路１７２及び分岐流路１７３のうち、温水生成部１６で生成された温水を流す分岐流路を一以上選択し、その選択した分岐流路（以下、「選択分岐流路」という。）に温水生成部１６で生成された温水を供給する。ただし、流調バルブ１７５は、分岐流路１７２及び分岐流路１７３のどの分岐流路にも、温水生成部１６で生成された温水を流さない場合には、選択分岐流路を選択しないこともできる。さらに、流調バルブ１７５は、その選択分岐流路に流れる温水の流量を調整可能である。具体的には、流調バルブ１７５は、制御装置１７８から開度が調整されることで、局部洗浄ノズル１０の先端部から吐出させる洗浄水の流量を調整可能である。
【００４３】
流調バルブ１７６は、分岐流路１７４に設けられ、制御装置１７８から開度が調整されることで、分岐流路１７４に流れる温水の流量を調整可能する。すなわち、流調バルブ１７６は、水膜口１７１から局部洗浄ノズル１０の表面に吐出させる温水の流量を調整可能である。
【００４４】
なお、流調バルブ１７６及び制御装置１７８は、局部洗浄ノズル１０の表面に温水膜を形成するために水膜口１７１から吐出させる温水の流量を調整する流量調整手段として機能する。
【００４５】
駆動部１７７は、制御装置１７８による制御に基づいて、一対のおしり洗浄用ノズル１１１とビデ用ノズル１１２を、待機位置と洗浄位置との間で、それぞれ個別に進退させることが可能である。
【００４６】
制御装置１７８は、給水バルブ１５の駆動を制御することで、第１の流路１３を開放又は閉塞を制御する。
制御装置１７８は、流調バルブ１７５を開弁又は閉弁させることで局部洗浄ノズル１０による局部洗浄を制御する。また、制御装置１７８は、流調バルブ１７５の開度を調整することで、局部洗浄ノズル１０から吐出させる温水の流量を調整する。
【００４７】
制御装置１７８は、流調バルブ１７６を開弁又は閉弁させることで、局部洗浄ノズル１０の表面に対する温水膜の形成を制御する。さらに、制御装置１７８は、流調バルブ１７６の開度を調整することで、上記温水膜を形成するために局部洗浄ノズル１０の表面に吐出させる温水の流量を調整することができる。
【００４８】
ここで、制御装置１７８は、局部洗浄ノズル１０がノズル開口部１１から進出している状態において、水膜口１７１から局部洗浄ノズル１０の表面に温水を吐出させて温水膜を形成する。そして、制御装置１７８は、上記温水膜を形成するにあたって、流調バルブ１７６の開度を調整することで、水膜口１７１から局部洗浄ノズル１０の表面に吐出させる温水の流量を任意に調整することが可能である。すなわち、制御装置１７８は、局部洗浄中や、局部洗浄ノズル１０が待機位置と洗浄位置との間を移動している間において、局部洗浄ノズル１０の表面に温水を吐出させて温水膜を形成するとともに、その温水の流量を任意に調整可能である。
【００４９】
なお、「局部洗浄ノズル１０がノズル開口部１１から進出している状態」とは、局部洗浄ノズル１０が待機位置から洗浄位置に移動している状態、局部洗浄を実行している状態、及び洗浄位置から待機位置に移動している状態の少なくともいずれかの状態を含む。
【００５０】
以下に、本発明の一実施形態に係る局部洗浄装置９の温水膜形成の動作について、図３を用いて説明する。なお、以下の説明において、局部洗浄ノズル１０の進退動作として、おしり洗浄用ノズル１１１の進退動作を例として説明する。
【００５１】
例えば、使用者がリモコン装置２における局部洗浄ボタンを操作すると、制御装置１７８は、当該操作を検出する。そして、制御装置１７８は、その局部洗浄ボタンが操作されたことを検出すると、給水バルブ１５を制御して第１の流路１３を開放させるとともに、駆動部１７７の駆動を制御して、待機位置ＨＰにあるおしり洗浄用ノズル１１１の進出動作を開始させる（時刻ｔ１）。
【００５２】
また、制御装置１７８は、時刻ｔ１において、おしり洗浄用ノズル１１１がノズル開口部１１から進出すると、流調バルブ１７６を開弁させる。さらに、制御装置１７８は、流調バルブ１７６の開度を第１の開度に制御する。これにより、温水生成部１６で生成された温水は、分岐流路１７４を通り、水膜口１７１から第１の流量Ｆ１で吐出される。したがって、この第１の流量Ｆ１の温水により、洗浄用ノズル１１１の表面に温水膜が形成される。
【００５３】
おしり洗浄用ノズル１１１が洗浄位置ＴＰまで進出すると（時刻ｔ２）、制御装置１７８は、駆動部１７７を制御しておしり洗浄用ノズル１１１の進出動作を停止させる。そして、制御装置１７８は、局部洗浄を実施するために、流調バルブ１７５を制御して、分岐流路１７２を選択分岐流路に選択するとともに流調バルブ１７５を開弁させる。これにより、おしり洗浄用ノズル１１１の先端部から使用者の局部に向けて温水が洗浄水として吐出され、局部洗浄が実行される。
【００５４】
ここで、制御装置１７８は、時刻ｔ２において局部洗浄が実行されると、流調バルブ１７６の開度を第１の開度から第２の開度（＜第１の開度）に下げて、水膜口１７１から吐出される温水の流量を第１の流量Ｆ１から第２の流量Ｆ２に下げる。そして、制御装置１７８は、局部洗浄中（時刻ｔ２〜ｔ３）においては、流調バルブ１７６の開度を第２の開度に制御し、水膜口１７１から第２の流量Ｆ２の温水を吐出させる。これは、おしり洗浄用ノズル１１１の進出動作（時刻ｔ１〜ｔ２）時よりも局部洗浄時の方がおしり洗浄用ノズル１１１に汚物が付着する可能性が低い場合が想定されるためである。そのため、制御装置１７８は、局部洗浄中においては、おしり洗浄用ノズル１１１の進出動作よりも、水膜口１７１から吐出される温水の流量を減らす。これにより、水膜口１７１から吐出される温水が便器本体の便鉢や封水に着水することで発生する飛沫の飛散を低減することができる。
【００５５】
局部洗浄中において、使用者により局部洗浄の停止を指示する操作がリモコン装置２にて行われると、制御装置１７８は、当該操作を検出して、流調バルブ１７５を閉弁することで第２の流路１４から分岐流路１７２への温水の供給を停止する。これにより、局部洗浄を停止する。そして、制御装置１７８は、駆動部１７７の駆動を制御して、洗浄位置にあるおしり洗浄用ノズル１１１の退避動作を開始させる（時刻ｔ３）。
【００５６】
ここで、制御装置１７８は、時刻ｔ３においておしり洗浄用ノズル１１１の退避動作が開始すると、流調バルブ１７６の開度を第２の開度から第３の開度（＜第２の開度）に下げて、水膜口１７１から吐出される温水の流量を第２の流量Ｆ２から第３の流量Ｆ３に下げる。これは、おしり洗浄用ノズル１１１の退避動作（時刻ｔ３〜ｔ４）時は、すでに局部洗浄が終了しているため、洗浄用ノズル１１１に汚物が付着する可能性が極めて低いことが想定されるためである。そのため、制御装置１７８は、おしり洗浄用ノズル１１１の退避動作時においては、局部洗浄中よりも、水膜口１７１から吐出される温水の流量を減らす。これにより、水膜口１７１から吐出される温水が便器本体の便鉢や封水に着水することで発生する飛沫の飛散を低減することができる。
【００５７】
制御装置１７８は、おしり洗浄用ノズル１１１が待機位置ＨＰまで退避されると、流調バルブ１７６を閉弁させることで、水膜口１７１からの温水の吐出を停止する。これにより、おしり洗浄用ノズル１１１の表面における水膜の形成が停止される。
なお、上記実施形態において、制御装置１７８は、おしり洗浄用ノズル１１１の退避動作（時刻ｔ３〜ｔ４）時に、流調バルブ１７６の開度を第３の開度に下げて、水膜口１７１から吐出される温水の流量を第３の流量Ｆ３に下げたが、本発明はこれに限定されない。例えば、制御装置１７８は、おしり洗浄用ノズル１１１の退避動作（時刻ｔ３〜ｔ４）時に、流調バルブ１７６を閉弁させて、水膜口１７１からの温水の吐出を停止させてもよい。
【００５８】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００５９】
（変形例１）
上記実施形態では、洗浄部１７は、局部洗浄ノズル１０の進出動作時のすべての期間で温水を水膜口１７１から吐出させたが、本発明はこれに限定されない。例えば、洗浄部１７は、局部洗浄ノズル１０の進出動作時における所定の期間内にのみ水膜口１７１から温水を吐出させてもよい。
以下に、局部洗浄ノズル１０の進出動作時における所定の期間内にのみ水膜口１７１から温水を吐出させる動作について、図４を用いて説明する。
【００６０】
例えば、使用者がリモコン装置２における局部洗浄ボタンを操作すると、制御装置１７８は、当該操作を検出する。そして、制御装置１７８は、その局部洗浄ボタンが操作されたことを検出すると、給水バルブ１５を制御して第１の流路１３を開放させるとともに、駆動部１７７の駆動を制御して、待機位置ＨＰにあるおしり洗浄用ノズル１１１の進出動作を開始させる（時刻ｔ１）。
【００６１】
制御装置１７８は、進出動作時において、待機位置ＨＰにあるおしり洗浄用ノズル１１１がノズル開口から進出して所定位置ＭＰに到達した場合には、流調バルブ１７６を開弁させるとともに、その流調バルブ１７６の開度を第１の開度に制御する（時刻ｔ１´）。ここで、例えば、所定位置ＭＰとは、待機位置ＨＰと洗浄位置ＴＰとの間の位置であって、進出した局部洗浄ノズル１０に汚物が付着しにくい領域（待機位置ＨＰと所定位置ＭＰとの間の位置）と進出した局部洗浄ノズル１０に汚物が付着しやすい領域（所定位置ＭＰと洗浄位置ＴＰとの間の位置）との境界を示す位置である。
【００６２】
このように、制御装置１７８は、進出動作を開始してからおしり洗浄用ノズル１１１が所定位置ＭＰに到達するまでは、当該おしり洗浄用ノズル１１１に汚物が付着しにくいため、おしり洗浄用ノズル１１１の表面に温水膜を形成しない。これにより、水膜口１７１から吐出される温水が便器本体の便鉢や封水に着水することで発生する飛沫の飛散を低減することができる。そして、制御装置１７８は、おしり洗浄用ノズル１１１が所定位置ＭＰに到達すると、当該おしり洗浄用ノズル１１１に汚物が付着しやすくなるため、おしり洗浄用ノズル１１１の表面に温水膜を形成する。
【００６３】
おしり洗浄用ノズル１１１が洗浄位置ＴＰまで進出すると（時刻ｔ２）、制御装置１７８は、駆動部１７７を制御しておしり洗浄用ノズル１１１の進出動作を停止させる。そして、制御装置１７８は、局部洗浄を実施するために、流調バルブ１７５を制御して、分岐流路１７２を選択分岐流路に選択するとともに流調バルブ１７５を開弁させる。これにより、おしり洗浄用ノズル１１１の先端部から使用者の局部に向けて温水が洗浄水として吐出され、局部洗浄が実行される。
【００６４】
また、制御装置１７８は、時刻ｔ２において、局部洗浄が実行されると、流調バルブ１７６の開度を第２の開度に下げて、水膜口１７１から吐出される温水の流量を第２の流量Ｆ２に下げる。そして、制御装置１７８は、局部洗浄中（時刻ｔ２〜ｔ３）においては、流調バルブ１７６の開度を第２の開度に制御し、水膜口１７１から第２の流量Ｆ２の温水を吐出させる。
【００６５】
局部洗浄中において、使用者により局部洗浄の停止を指示する操作がリモコン装置２にて行われると、制御装置１７８は、当該操作を検出して、流調バルブ１７５を閉弁することで第２の流路１４から分岐流路１７２への温水の供給を停止する。これにより、局部洗浄を停止する。そして、制御装置１７８は、駆動部１７７の駆動を制御して、洗浄位置ＴＰにあるおしり洗浄用ノズル１１１の退避動作を開始させる（時刻ｔ３）。
【００６６】
また、制御装置１７８は、時刻ｔ３において、おしり洗浄用ノズル１１１の退避動作を開始すると、流調バルブ１７６の開度を第３の開度に下げて、水膜口１７１から吐出される温水の流量を第３の流量Ｆ３に下げる。
【００６７】
制御装置１７８は、おしり洗浄用ノズル１１１が洗浄位置ＴＰから所定位置ＭＰまで退避されると（時刻ｔ３´）、流調バルブ１７６を閉弁させることで、水膜口１７１からの温水の吐出を停止する。これにより、水膜口１７１から吐出される温水が便器本体の便鉢や封水に着水することで発生する飛沫の飛散を低減することができる。
【００６８】
制御装置１７８は、おしり洗浄用ノズル１１１が待機位置ＨＰまで退避されると退避動作を停止する（時刻ｔ４）。なお、上記変形例１において、制御装置１７８は、おしり洗浄用ノズル１１１の退避動作（時刻ｔ３〜ｔ３´）時に、流調バルブ１７６の開度を第３の開度に下げて、水膜口１７１から吐出される温水の流量を第３の流量Ｆ３に下げたが、本発明はこれに限定されない。例えば、制御装置１７８は、おしり洗浄用ノズル１１１の退避動作（時刻ｔ３〜ｔ４）時に、流調バルブ１７６を閉弁させて、水膜口１７１からの温水の吐出を停止させてもよい。
【００６９】
（変形例２）
上記実施形態では、洗浄部１７は、局部洗浄ノズル１０の進出動作時のすべての期間で一定量の流量の温水を水膜口１７１から吐出させたが、本発明はこれに限定されない。例えば、洗浄部１７は、局部洗浄ノズル１０の進出動作や退避動作時において、局部洗浄ノズル１０の移動位置に応じて水膜口１７１から吐出させる温水の流量を調整してもよい。
以下に、局部洗浄ノズル１０の移動位置に応じて水膜口１７１から吐出させる温水の流量を調整する動作について、図５を用いて説明する。
【００７０】
例えば、使用者がリモコン装置２における局部洗浄ボタンを操作すると、制御装置１７８は、当該操作を検出する。そして、制御装置１７８は、その局部洗浄ボタンが操作されたことを検出すると、給水バルブ１５を制御して第１の流路１３を開放させるとともに、駆動部１７７の駆動を制御して、待機位置ＨＰにあるおしり洗浄用ノズル１１１の進出動作を開始させる（時刻ｔ１）。
【００７１】
制御装置１７８は、時刻ｔ１において、おしり洗浄用ノズル１１１が進出動作を開始すると、流調バルブ１７６を開弁させる。そして、制御装置１７８は、おしり洗浄用ノズル１１１の進出動作時において、おしり洗浄用ノズル１１１が移動する位置（移動位置）に応じて流調バルブ１７６の開度を変化させる。
【００７２】
具体的には、制御装置１７８は、おしり洗浄用ノズル１１１の進出動作時において、おしり洗浄用ノズル１１１が洗浄位置ＴＰに近づくほど流調バルブ１７６の開度を増加させる。これにより、制御装置１７８は、おしり洗浄用ノズル１１１が洗浄位置ＴＰに近づくほど、水膜口１７１から吐出される温水の流量が増加させることができる。
【００７３】
おしり洗浄用ノズル１１１が洗浄位置ＴＰまで進出すると（時刻ｔ２）、制御装置１７８は、駆動部１７７を制御しておしり洗浄用ノズル１１１の進出動作を停止させる。そして、制御装置１７８は、局部洗浄を実施するために、流調バルブ１７５を制御して、分岐流路１７２を選択分岐流路に選択するとともに流調バルブ１７５を開弁させる。これにより、おしり洗浄用ノズル１１１の先端部から使用者の局部に向けて温水が洗浄水として吐出され、局部洗浄が実行される。
【００７４】
また、制御装置１７８は、時刻ｔ２において、局部洗浄が実行されると、流調バルブ１７６の開度を一定（例えば、第１の開度や第２の開度）に維持することで、その水膜口１７１から吐出される温水の流量を一定に保持する。
【００７５】
局部洗浄中において、使用者により局部洗浄の停止を指示する操作がリモコン装置２にて行われると、制御装置１７８は、当該操作を検出して、流調バルブ１７５を閉弁することで第２の流路１４から分岐流路１７２への温水の供給を停止する。これにより、局部洗浄を停止する。そして、制御装置１７８は、駆動部１７７の駆動を制御して、洗浄位置にあるおしり洗浄用ノズル１１１の退避動作を開始させる（時刻ｔ３）。
【００７６】
また、制御装置１７８は、時刻ｔ３においておしり洗浄用ノズル１１１の退避動作を開始すると、おしり洗浄用ノズル１１１の移動位置に応じて流調バルブ１７６の開度を変化させる。具体的には、制御装置１７８は、おしり洗浄用ノズル１１１の退避動作時において、おしり洗浄用ノズル１１１が待機位置ＨＰに近づくほど流調バルブ１７６の開度を減少させる。これにより、制御装置１７８は、おしり洗浄用ノズル１１１が待機位置ＨＰに近づくほど、水膜口１７１から吐出される温水の流量が減少させることができる。
【００７７】
したがって、水膜口１７１から吐出される温水が便器本体の便鉢や封水に着水することで発生する飛沫の飛散を低減することができる。
【００７８】
制御装置１７８は、おしり洗浄用ノズル１１１が待機位置ＨＰまで退避されると、流調バルブ１７６を閉弁させることで、水膜口１７１からの温水の吐出を停止する。これにより、おしり洗浄用ノズル１１１の表面における水膜の形成が停止される。
なお、変形例２において、制御装置１７８は、おしり洗浄用ノズル１１１の退避動作（時刻ｔ３〜ｔ４）時に、流調バルブ１７６を閉弁させて、水膜口１７１からの温水の吐出を停止させてもよい。
【００７９】
また、変形例２では、進出動作時や退避動作時において、おしり洗浄用ノズル１１１が移動した距離に応じて比例的に水膜口１７１から吐出される温水の流量が増加させたが、これに限定されない。すなわち、進出動作や退避動作時において、制御装置１７８は、局部洗浄ノズル１０が移動した位置や距離に応じて水膜口１７１から吐出される温水の流量が増加又は減少すればよく、例えば、その温水の流量を指数関数的に増加又は減少させてもよい。
【００８０】
（変形例３）
上記実施形態において、洗浄部１７は、局部洗浄時において、局部洗浄ノズル１０から吐出している洗浄水の流量に応じて、局部洗浄ノズル１０の表面に吐出させる温水の流量を調整してもよい。これは、本実施形態では、局部洗浄に用いられる温水（洗浄水）と、水膜口１７１から吐出させる温水とは、同一の温水生成部１６で生成されるものであり、その温水生成部１６で生成される温水の流量には限りがあるためである。
【００８１】
例えば、局部洗浄の洗浄水の流量、すなわち局部洗浄ノズル１０から吐出する洗浄水の流量を、使用者がリモコン装置２で「強」「中」「弱」の三段階で設定可能であるとする。この場合において、洗浄水の流量が「中」に設定されている場合には、制御装置１７８は、局部洗浄時に水膜口１７１から吐出させる温水の流量を第２の流量Ｆ２に設定する。また、洗浄水の流量が「強」に設定されている場合には、制御装置１７８は、局部洗浄の洗浄水の流量が減少しないように、局部洗浄時に水膜口１７１から吐出させる温水の流量を第２の流量Ｆ２よりも少ない第３の流量Ｆ３に設定する。一方、洗浄水の流量が「小」に設定されている場合には、制御装置１７８は、温水生成部１６で生成される温水の流量に余裕があるため、局部洗浄時に水膜口１７１から吐出させる温水の流量を第２の流量Ｆ２よりも多い第１の流量Ｆ１に設定する。
【００８２】
（変形例４）
上記実施形態では、局部洗浄装置９は、給水バルブ１５を通流した水を温水生成部１６で加熱することで温水を生成する、所謂瞬間方式で温水を生成したが、本発明はこれに限定されない。例えば、局部洗浄装置９は、貯湯タンクに温水を貯留するとともに、常時ヒータに通電して所定の温度の温水に制御する方式である、所謂貯湯方式で温水を生成してもよい。
【００８３】
（変形例５）
なお、上記実施形態における水膜口１７１の位置は、温水生成部１６で生成された温水の一部を水膜口１７１から局部洗浄ノズル１０の表面に吐出できる位置であれば、特に限定されない。例えば、図６に示すように、水膜口１７１は、局部洗浄ノズル１０を出し入れ可能な支持部本体３００の上部に形成されてもよい。
【００８４】
（変形例６）
上記制御装置１７８に含まれる構成要素の少なくとも一部がソフトウエアにより実現される場合、当該構成要素は、一般的な構成の情報処理装置において、当該構成要素に関する動作を規定したソフトウエア又はプログラムを起動することにより実現されてよい。例えば、上記制御装置１７８は、ＣＰＵ、ＧＰＵなどのプロセッサ、ＲＯＭ、ＲＡＭ、通信インタフェースなどを有して構成される。
【００８５】
以上、説明したように、本発明の一実施形態に係る局部洗浄装置９は、局部洗浄ノズル１０の表面に水膜を形成するために当該局部洗浄ノズル１０の表面に吐出する湯水の流量を調整可能な構成を備える。
【００８６】
このような構成によれば、局部洗浄ノズル１０の表面に吐出される湯水を低減させることができるため、当該湯水が便器本体の便鉢や封水に着水することで発生する飛沫の飛散を抑制することが可能となる。
【００８７】
また、局部洗浄装置９は、局部洗浄ノズル１０がノズル開口部１１から進出している状態における当該局部洗浄ノズル１０の動作に応じて、その局部洗浄ノズル１０の表面に吐出する湯水の流量を調整してもよい。
【００８８】
このような構成によれば、局部洗浄装置９は、局部洗浄ノズル１０の動作に応じて水膜形成のための流量を調整することができる。そのため、局部洗浄ノズル１０の動作によって当該局部洗浄ノズル１０に汚物が付着する蓋然性が変わる場合には、その蓋然性が低い局部洗浄ノズル１０の動作時に上記湯水の流量を低減させることができる。その結果、その湯水が便器本体の便鉢や封水に着水することで発生する飛沫の飛散を抑制することが可能となる。
【００８９】
また、局部洗浄装置９は、局部洗浄ノズル１０が待機位置ＨＰから洗浄位置ＴＰに移動する場合、局部洗浄を実行している場合、洗浄位置ＴＰから待機位置ＨＰに移動する場合との少なくともいずれかの場合において、局部洗浄ノズル１０の表面に吐出する湯水の流量を調整してもよい。
【００９０】
また、局部洗浄装置９は、局部洗浄ノズル１０がノズル開口部１１から進出している位置に応じて、局部洗浄ノズル１０の表面に吐出する湯水の流量を調整してもよい。
【００９１】
このような構成によれば、局部洗浄装置９は、局部洗浄ノズル１０の退避動作時において、移動している局部洗浄ノズル１０に汚物が付着する可能性が低い場合には、当該局部洗浄ノズル１０の表面に吐出される湯水を減少させることができ、飛沫の飛散を抑制することが可能となる。
【００９２】
また、局部洗浄装置９は、局部洗浄時において、局部洗浄ノズル１０から吐出される洗浄水の流量に応じて、局部洗浄ノズル１０の表面に吐出される湯水の流量を調整してもよい。
【００９３】
このような構成によれば、局部洗浄に用いる温水と水膜形成に用いる温水とを瞬間方式の温水生成部１６で生成する場合には、その温水生成部１６で生成される温度をより効率よく使用することができる。
【符号の説明】
【００９４】
Ａ  トイレシステム
１  トイレ装置
２  リモコン装置
９  局部洗浄装置
１０  局部洗浄ノズル
１１  ノズル開口部（開口部）
１６  温水生成部
１７  洗浄部
Ｓ  給水源
【図１】
2019173350.tif 000003
【図２】
2019173350.tif 000004
【図３】
2019173350.tif 000005
【図４】
2019173350.tif 000006
【図５】
2019173350.tif 000007
【図６】
2019173350.tif 000008